(57)【要約】【課題】ショットブラストのショット玉が腹板裏面側に侵入して蓄積されるのを防止できるガスメータの腹板取付構造を提供する。【解決手段】本発明は、前面に計量室用凹部１５が設けられたケース本体１を備え、そのケース本体における計量室用凹部１５の外周縁部に前方に隆起する腹板取付部５が形成される一方、腹板取付部５を含めて計量室用凹部１５を前面側から覆うように腹板４が取り付けられるガスメータの腹板取付構造を対象とする。ケース本体１を前面から見た正面視状態において、腹板取付部５の外側輪郭線５Ｌの全周が腹板４の輪郭線４Ｌに近接するように、腹板取付部５が形成されている。【選択図】図１
2016138857.tif 000002
【特許請求の範囲】
【請求項１】
前面に計量室用凹部が設けられたケース本体を備え、そのケース本体における前記計量室用凹部の外周縁部に前方に隆起する腹板取付部が形成される一方、前記腹板取付部を含めて前記計量室用凹部を前面側から覆うように腹板が取り付けられるガスメータの腹板取付構造であって、
前記ケース本体を前面から見た正面視状態において、前記腹板取付部の外側輪郭線の全周が前記腹板の輪郭線に近接するように、前記腹板取付部が形成されていることを特徴とするガスメータの腹板取付構造。
【請求項２】
前記腹板取付部に、前方に開放された肉盗み凹部が形成されている請求項１に記載のガスメータの腹板取付構造。
【請求項３】
前面に設けられた計量室用凹部の外周縁部に前方に隆起する腹板取付部が形成される一方、前記腹板取付部を含めて前記計量室用凹部を前面側から覆うように腹板が取付可能なガスメータのケース本体であって、
前面から見た正面視状態において、前記腹板取付部の外側輪郭線の全周が前記腹板の輪郭線に近接するように、前記腹板取付部が形成されていることを特徴とするガスメータのケース本体。
【発明の詳細な説明】
【技術分野】
【０００１】
この発明は、ガスの流量を計測するためのガスメータの腹板取付構造およびケース本体に関する。
【背景技術】
【０００２】
各家庭やレストラン等において、ガスの使用量（流量）を計測するために設置されるガスメータとしては、特許文献１に示すようにガス圧で作動するメカニカル方式の膜式ガスメータが一般に多く使用されている。
【０００３】
図５は従来の膜式ガスメータにおけるケース本体を示す正面図、図６は従来の腹板取付構造を示す断面図であって、図５のＡ−Ａ線断面に相当する断面図である。なお図５においてはケース本体９に取り付けられる予定の腹板９４の輪郭線９４Ｌを想像線（二点鎖線）で示している。
【０００４】
両図に示すように、ケース本体９の前面には、計量室用凹部９１が形成されるとともに、計量室用凹部９１の外周縁部には、その外周縁部が前方に盛り上がるようにして腹板取付部９２が形成されている。この計量室用凹部９１を閉塞するようにして計量膜９３が配置された状態で、計量膜９３を覆うようにして腹板９４がケース本体９の前面にねじ止め固定される。この状態において計量膜９３はその外周縁部９３１がケース本体９の腹板取付部９２と腹板９４の裏面側外周縁部とに挟持されることにより固定されている。
【０００５】
このような従来のガスメータにおいて、ケース本体９の腹板取付部９２には、周方向に間隔をおいてねじ切り孔９２１が形成されており、腹板取付部９２のうち、ねじ切り孔９２１に対応する部分（ねじ止め部）９２２は、外側に突出して広い幅に形成される一方、ねじ止め部９２２以外の部分は狭い幅に形成されている。
【０００６】
一方、腹板９４は、ケース本体９におけるねじ止め部９２２を含む領域をカバーできるように、腹板９４の輪郭線９４Ｌは、ねじ止め部９２２の外側を通るように設定されている。
【０００７】
このため腹板取付部９２のうち、ねじ止め部９２２以外の部分では、腹板９４の輪郭線９４Ｌと腹板取付部９２の外側輪郭線９２Ｌとの間隔が広くなり、腹板９４の外周縁部裏面側に、メータ外部に開口する広い空隙部９５（図６参照）が形成されてしまう。
【先行技術文献】
【特許文献】
【０００８】
【特許文献１】特開２００６−１７７８０５号公報
【発明の概要】
【発明が解決しようとする課題】
【０００９】
ところで上記のようなガスメータは、使用期限が設定されており、使用期限が経過すると、新しいガスメータに取り換えるようにしている。その一方、使用期限経過後のガスメータ（使用済ガスメータ）は多くの場合、点検等が行われ、必要に応じて補修や修繕が行われて再利用されるのが一般的であるが、使用済ガスメータを点検する場合、メータ表面の塗装をショットブラストによって剥がすようにしている。
【００１０】
しかしながら、ショットブラストによってガスメータの塗装を剥がす際に、図６に示すように腹板９４の外周縁部裏面側に広い空隙部９５が形成されていると、その広い空隙部９５にショットブラストのブラスト（ショット玉）が入り込んで蓄積されてしまう。このように腹板裏面側の空隙部９５にショット玉が蓄積されてしまうと、空隙部９５に蓄積されたショット玉を、取り除くという面倒な作業が必要となり、ガスメータの点検作業や修繕作業が困難であるという課題が発生する。
【００１１】
この発明は、上記の課題に鑑みてなされたものであり、ショットブラストによりガスメータを表面処理する際に、腹板の外周縁部裏面側にショット玉が侵入するのを防止することができるガスメータの腹板取付構造およびケース本体を提供することを目的とする。
【課題を解決するための手段】
【００１２】
上記課題を解決するため、本発明は、以下の手段を備えるものである。
【００１３】
［１］前面に計量室用凹部が設けられたケース本体を備え、そのケース本体における前記計量室用凹部の外周縁部に前方に隆起する腹板取付部が形成される一方、前記腹板取付部を含めて前記計量室用凹部を前面側から覆うように腹板が取り付けられるガスメータの腹板取付構造であって、
前記ケース本体を前面から見た正面視状態において、前記腹板取付部の外側輪郭線の全周が前記腹板の輪郭線に近接するように、前記腹板取付部が形成されていることを特徴とするガスメータの腹板取付構造。
【００１４】
［２］前記腹板取付部に、前方に開放された肉盗み凹部が形成されている前項１に記載のガスメータの腹板取付構造。
【００１５】
［３］前面に設けられた計量室用凹部の外周縁部に前方に隆起する腹板取付部が形成される一方、前記腹板取付部を含めて前記計量室用凹部を前面側から覆うように腹板が取付可能なガスメータのケース本体であって、
前面から見た正面視状態において、前記腹板取付部の外側輪郭線の全周が前記腹板の輪郭線に近接するように、前記腹板取付部が形成されていることを特徴とするガスメータのケース本体。
【発明の効果】
【００１６】
発明［１］のガスメータの腹板取付構造によれば、ケース本体の腹板取付部の外側輪郭線が全周にわたって腹板の輪郭線に対し近接するように配置されているため、腹板の外周縁部裏面側において、腹板とケース本体との間に空隙部が形成されるのを防止することができる。このため、ショットブラストによってガスメータの表面処理を行うような場合、ショット玉が腹板の外周縁部裏面側に侵入するのを防止でき、ショット玉の除去作業が不要となり、その分、ガスメータの点検作業や修繕作業を簡単に行うことができる。
【００１７】
発明［２］のガスメータの腹板取付構造によれば、腹板取付部に肉盗み凹部を形成しているため、余分な材料（駄肉）を除去できて、使用材料およびコストの削減を図ることができるとともに、ケース本体の軽量化を図ることできる。
【００１８】
発明［３］のガスメータのケース本体によれば、上記と同様にして、同様の効果を得ることができる。
【図面の簡単な説明】
【００１９】
【図１】図１はこの発明の実施形態である腹板取付構造が適用可能なガスメータのケース本体を示す正面図である。
【図２】図２は実施形態の腹板取付構造を説明するための分解斜視図である。
【図３】図３は実施形態の腹板取付構造を示す断面図であって、図１のＢ−Ｂ線断面に相当する断面図である。
【図４】図４は実施形態のガスメータに適用された計量膜を示すであって、図（ａ）は正面図、図（ｂ）は側面図である。
【図５】図５は従来のガスメータのケース本体を示す正面図である。
【図６】図６は従来の腹板取付構造を示す断面図であって、図５のＡ−Ａ線断面に相当する断面図である。
【発明を実施するための形態】
【００２０】
図１はこの発明の実施形態である腹板取付構造が適用可能なガスメータのケース本体１を示す正面図、図２は実施形態の腹板取付構造を説明するための分解斜視図、図３は図１のＢ−Ｂ線断面に相当する断面図である。
【００２１】
なお図１においては、発明の理解を容易にするため、ケース本体１に取り付けられる予定の腹板４の輪郭線４Ｌを想像線（二点鎖線）で示している。
【００２２】
また本実施形態のガスメータにおけるケース本体１のガス計量部分において、前側半分の構成は後側半分の構成に対し面対称で実質的に同一の構成を有している。よって本実施形態の説明では、前側半分の構成を詳細に説明し、後側半分の構成については必要に応じて要部のみを説明するものとする。さらに本発明においては、既述した通りケース本体１の計量部分に関しては、前後対称形状であるため、ケース本体１の「前面」を、ケース本体１の「後面」に置き換えることも可能であり、ケース本体１の「前面」を、ケース本体１の「前面および後面」に置き換えることも可能である。
【００２３】
図１〜図３に示すように、ケース本体１は、鋳造加工によって形成された鋳造品（鋳物）によって構成されており、そのケース本体１の前面には、ガスメータ組立状態で計量室として構成される計量室用凹部１５が形成されている。さらにケース本体１の前面における計量室用凹部１５の右上には、吸排気路の一端開口である吸排気口２が開口されている。
【００２４】
ケース本体１の前面における計量室用凹部１５の外周縁部おおび吸排気口２の外周縁部には、腹板取付部５が形成されている。この腹板取付部５は、前方に盛り上がるようにしてケース本体１に対し一体に形成されている。なお本実施形態においては、腹板取付部５のうち、計量室用凹部１５の外周縁部に沿って配置される部分を計量室側腹板取付部５１と称し、吸排気口２の外周縁部に沿って配置される部分を吸排気口側腹板取付部５２と称する。
【００２５】
計量室側腹板取付部５１の前面には、周方向に沿って計量室外周溝５１ａが形成されるとともに、吸排気口側腹板取付部５２の前面には、周方向に沿って吸排気口外周溝５２ａが形成されている。
【００２６】
さらに腹板取付部５の前面における外周溝５１ａ，５２ａの外側には、周方向に適宜間隔をおいて複数のねじ止め部５５が形成されている。各ねじ止め部５５には、雌ねじが切り込まれたねじ切り孔５６が形成されている。
【００２７】
本実施形態において、腹板取付部５のねじ止め部５５は、上記図５の従来のガスメータのように、部分的に外側に突出するような形状となっておらず、ねじ止め部５５を含む腹板取付部５の外側輪郭線５Ｌの全周が滑らかな形状に形成されている。換言すると、本実施形態では、腹板取付部５における隣り合うねじ止め部５５，５５間の領域は、図５の従来のガスメータのケース本体と比較すると、外側に肉盛りされた形状となっている。
【００２８】
なお後に詳述するが、本実施形態における腹板取付部５の外側輪郭線５Ｌは全周にわたって、腹板４の輪郭線４Ｌに倣って形成されている。
【００２９】
また本実施形態において、腹板取付部５の前面側における計量室外周溝５１ａの外側において、ねじ止め部５５が形成されていない部分（ねじ止め部以外の部分）に、前方に開口する肉盗み凹部５７が形成されている。なお言うまでもなく、肉盗み凹部５７の開口部は腹板４によって閉塞されるようになっている。
【００３０】
図４は計量膜３を示す図である。図２〜図４に示すように、ケース本体１には、計量室用凹部１５を閉塞するようにして計量膜３が配置されている。
【００３１】
計量膜３は、円盤状の膜本体３５と、膜本体３５の外周縁部に沿って形成される計量室外周縁部３１と、計量室外周縁部３１の周方向の一部に、外側に突出するようにして形成され、かつ吸排気口２の外周縁部に沿って配置される吸排気口外周縁部３２とを備えている。計量室外周縁部３１の裏面側には、ケース本体１の上記計量室外周溝５１ａに対応し、かつＯリングとして機能する計量室外周シール部材３１ａが設けられている。さらに吸排気口外周縁部３２の裏面側には、ケース本体１の上記吸排気口外周溝５２ａに対応し、かつＯリングとして機能する吸排気口外周シール部材３２ａが設けられている。
【００３２】
この計量膜３のシール部材３１ａ，３２ａがケース本体１の外周溝５１ａ，５２ａに対応して配置されるようにして、計量膜３の外周縁部３１，３２がケース本体１の腹板取付部５上に配置される。
【００３３】
図２および図３に示すように、腹板４は、ケース本体１の前面側における所領領域のほぼ全域をカバーできる形状に形成されており、その外周縁部には、ケース本体１の腹板取付部５に対応し、かつ腹板取付部５に載置可能な外周取付部４０が形成されている。さらに腹板４の外周取付部４０の外側には、その外側部分が裏面側に折り曲げられることにより縁曲げ部４５（図３参照）が形成されている。
【００３４】
また腹板４の外周取付部４０には、ケース本体１の各ねじ切り孔５６に対応して、ねじ挿通孔４６がそれぞれ形成されている。
【００３５】
本実施形態において腹板４の輪郭線４Ｌは、後に詳述するように全周にわたってケース本体１の腹板取付部５の外側輪郭線５Ｌに対し近接するように形成されている。
【００３６】
なお本実施形態においては図２に示すように、腹板４の外周取付部４０のうち、ケース本体１の計量室側腹板取付部５１に対応する部分を計量室側外周取付部４１と称し、吸排気口側腹板取付部５２に対応する部分を吸排気口側外周取付部４７と称する。
【００３７】
この腹板４によってケース本体１の計量室用凹部１５および吸排気口２が計量膜３を介して覆われるようにして、腹板４の外周取付部４０がケース本体１の腹板取付部５に載置され、その状態で腹板４のねじ挿通孔４６に挿通されたねじ（図示省略）がケース本体１のねじ切り孔５６にねじ込まれて固定される。これにより腹板４がケース本体１に締結固定されるとともに、計量膜３がその計量室外周縁部３１および吸排気口外周縁部３２がケース本体１および腹板４に挟持されて固定される。さらに計量膜３の計量室外周シール部材３１ａおよび吸排気口外周シール部材３２ａがケース本体１の計量室外周溝５１ａおよび吸排気口外周溝５２ａ内に圧縮状態に圧入されて、ケース本体１および腹板４間における計量膜３の外周縁部３１，３２周辺の気密性が確保される。
【００３８】
この腹板取付状態では図１に示すようにケース本体１を前面（正面）から見た正面視状態において、腹板４の輪郭線４Ｌは、ケース本体１の腹板取付部５の外側輪郭線５Ｌに対し、全周にわたって僅かに外側に配置されている。換言すると、腹板４の縁曲げ部４５の内周面と、ケース本体１の腹板取付部５の外側輪郭線５Ｌとの間にほとんど隙間が形成されず、ケース本体１の腹板取付部５の外側輪郭線５Ｌの全周が、腹板４の輪郭線４Ｌの内側においてその腹板４の輪郭線４Ｌに対し近接するように配置されている。
【００３９】
なお本実施形態においては、ケース本体１の計量室用凹部１５と計量膜３とによって囲まれた空間部が、内側計量室として構成されるとともに、計量膜３と腹板４とによって囲まれた空間部が、外側計量室として構成されている。
【００４０】
以上の構成の本実施形態のガスメータにおいては、ケース本体１の腹板取付部５の外側輪郭線５Ｌがその全周にわたって腹板４の輪郭線４Ｌに対し近接するように配置されているため、腹板４の外周縁部裏面側において、腹板４とケース本体１との間にほとんど隙間が形成されず、その間に空隙部が形成されるのを防止することができる。このため、使用期限経過後（使用済）のガスメータを点検する際等に、ショットブラストによってガスメータの表面塗装を剥がしたとしても、ブラスト（ショット玉）が、腹板４の外周縁部裏面側に侵入するのを防止することができる。従って、本実施形態のガスメータにおいては、腹板外周縁部裏面側に侵入蓄積されたショット玉を除去する等の面倒な作業が必要なく、その分、ガスメータの点検作業や修繕作業を簡単に行うことができる。
【００４１】
ここで本実施形態において、腹板４の輪郭線４Ｌと腹板取付部５の外側輪郭線５Ｌとの間隔Ｓ１（図３参照）が全周にわたって、２．３ｍｍ以下、より好ましくは１．８ｍｍ以下、より一層好ましくは１．６ｍｍ以下の場合には、正面視状態で腹板取付部５の外側輪郭線５Ｌが腹板４の輪郭線４Ｌに近接していると定義している。すなわちこの間隔Ｓ１が大き過ぎる場合には、腹板外周縁部裏面側に大きな空隙部が形成されて、その隙間にショット玉が侵入蓄積されるおそれがあり、好ましくない。なお参考までに、図５および図６に示す従来の腹板取付構造においては、腹板の輪郭線と腹板取付部の外側輪郭線との間隔のうち最も広い部分で、７．８ｍｍ程度に設定されている。
【００４２】
また本実施形態において、腹板４の縁曲げ部４５の厚みは１．２ｍｍであるため、上記輪郭線間の間隔Ｓ１から計算すると、縁曲げ部１の裏面と腹板取付部５の外周端面（外側輪郭線５Ｌ）との間の隙間Ｓ２は、全周にわたって、１．１ｍｍ以下、より好ましくは０．６ｍｍ以下、より一層好ましくは０．４ｍｍ以下に設定されることになる。
【００４３】
また本実施形態のガスメータにおいては、腹板取付部５のねじ止め部５５以外の部分に、前方に開口する肉盗み凹部５７を形成しているため、余分な材料（駄肉）を省略することができて、使用材料およびコストの削減を図ることができるとともに、ケース本体１の軽量化、ひいてはガスメータの軽量化を図ることができる。
【００４４】
さらに肉盗み凹部５７の開口部は腹板４によって閉塞されるため、肉盗み凹部５７内にショットブラストによるショット玉が侵入するような不具合が生じるのを確実に防止することができる。
【００４５】
また本実施形態の腹板取付構造においては、従来の腹板取付構造と比較して、ケース本体１の腹板取付部５の外周端縁を外側に肉盛りするだけで形成することができる。つまり大規模な設計変更等を行うことがなく、簡単に本実施形態の腹板取付構造を実現することができる。
【００４６】
なお、本実施形態においては、既述した通りケース本体１の前部に内外２つの対をなす計量室が設けられるとともに、後部にも前部と同様に内外２つの対をなす計量室が設けられ、計４つの計量室が前後に並んで設けられている。さらにケース本体１にはその上部を覆うように上ケースが取り付けられる。この上ケース内は、流入室と流出室とに仕切られており、流入室に対応してガス流入口が形成されるとともに、流出室に対応してガス流出口が形成されている。そしてメータ外部からガス流入口を通って上ケースの流入室に導入されたガスは、各計量室に順次導入されて順次計量された後、上ケースの流出室に順次導入され、さらにそのガスがガス流出口を通ってメータ外部に排出されるようになっている。
【００４７】
ところで、上記実施形態においては、本発明の腹板取付構造をケース本体の前面側に適用する場合を例に挙げて説明したが、それだけに限られず、本発明の腹板取付構造は、ケース本体の後面側にも上記と同様に採用することができる。さらに本発明の腹板取付構造は、ケース本体の前面側および後面側の双方に採用しても良いし、いずれか一方のみに採用するようにしても良い。
【００４８】
また本発明において、肉盗み凹部の形状、形成数、形成位置は特に限定されるものではない。
【産業上の利用可能性】
【００４９】
この発明のガスメータの腹板取付構造は、ガス圧で作動するメカニカル方式のガスメータに好適に採用することができる。
【符号の説明】
【００５０】
１：ケース本体
１５：計量室用凹部
４：腹板
４０：外周取付部
４Ｌ：輪郭線
５：腹板取付部
５Ｌ：外側輪郭線
５５：ねじ止め部
５７：肉盗み部
【図１】
2016138857.tif 000003
【図２】
2016138857.tif 000004
【図３】
2016138857.tif 000005
【図４】
2016138857.tif 000006
【図５】
2016138857.tif 000007
【図６】
2016138857.tif 000008